(57)【要約】【課題】外部のデジタル情報提供システムとの連携を前提とせずに作成された書籍等の紙媒体についても、その記載内容に関連する情報を提供できるようなシステムを提供する。【解決手段】書籍の構成要素（ページ、見出し、図、等）を書籍データベースに登録し、書籍の外部情報との関連付け情報を関連付けデータベースに保存する。ユーザが端末２４のＷＥＢブラウザで所定のＷＥＢサイトを開き、書籍の識別情報（例：ＩＳＢＮ）及び内部情報の位置情報（例：ページ番号と見出し）を管理サーバ１４に送信すると、管理サーバ１４が関連付けデータベースの情報に基づいて前記内部情報に対応する関連情報を特定し、その関連情報をユーザ端末２４に送信する。【選択図】  図１
2004157929.tif 000002
【特許請求の範囲】
【請求項１】
データ通信ネットワークを通じて他の端末から送信されてくる要求に応じた処理を行うサーバを有し、該サーバは、
紙媒体を登録した紙媒体データベース、
前記紙媒体データベースに登録された各紙媒体について、該紙媒体の外部に存在する情報と、該紙媒体内のいずれかの部分に記載された内部情報との関連付け情報を保存した関連付けデータベース、
他の端末から紙媒体の識別情報及び内部情報の位置情報とともに関連情報配信要求を受け付けるための要求受付部、及び、
前記要求受付部により受け付けられた紙媒体の識別情報及び内部情報の位置情報に基づいて、該当する紙媒体及びその内部情報を特定し、該内部情報に関連づけられた情報を前記内部情報の関連情報として前記端末に送信する関連情報配信部、
を備えることを特徴とする、紙媒体と連携した情報提供システム。
【請求項２】
有料の関連情報の利用に対する課金情報を該関連情報の利用者毎に保存した情報利用者課金データベース、
本システムの業務上の利用者として登録された前記紙媒体の発行者に対する課金情報を該発行者毎に保存した媒体発行者課金データベース、及び、
有料の関連情報の利用に対する課金処理を前記情報利用者課金データベースに対して行い、且つ、本システムの業務上の利用に対する課金処理を前記媒体発行者課金データベースに対して行う課金処理部
をさらに備えることを特徴とする請求項１に記載の情報提供システム。
【請求項３】
請求項１又は２に記載の情報提供システムを利用して、紙媒体の発行者が提供する関連情報を該紙媒体の利用者に提供することを特徴とする、紙媒体と連携した情報提供のビジネス方法。
【請求項４】
コンピュータを請求項１又は２に記載の情報提供システムのサーバとして機能させることを特徴とする、紙媒体と連携した情報提供システム用プログラム。
【発明の詳細な説明】
【０００１】
【発明の属する技術分野】
本発明は情報提供システムに関し、特に、書籍や雑誌といった紙製の情報媒体（本発明では紙媒体と呼ぶ）の記載内容に関連する情報をデジタル形式で提供するシステムに関する。
【０００２】
【従来の技術】
今日では、パーソナルコンピュータ等の個人向け情報機器の低価格化により、ＣＤ−ＲＯＭ等のデジタル情報媒体が広く利用されている。更に、インターネット等の通信網の発達にともない、オンラインで提供される情報も多くなってきている。しかし、その一方で、書籍や雑誌といった紙媒体も、諸々の理由から従前の通り情報媒体として根強く利用され続けている。この現状から判断すると、紙媒体が短期間のうちにデジタル情報システムに完全に置き換えられることはなく、むしろ、両者を併用することで多数の人々に効果的に情報を提供するための努力が続けられるものと考えられる。
【０００３】
紙媒体と連携した形で利用される情報提供システムの一例として、特許文献１に記載のものがある。このシステムでは、書籍上の情報とリモートサーバ上の関連情報（マルチメディアコンテンツ等）とを次のような方法で関連づける。
・関連情報があることを示すアイコンを書籍に印刷する。
・関連情報がある項目の文字列を書籍のページ上で目立たせる。
・書籍のページ番号を選ぶためのプルダウンメニューをＷＥＢページに用意する。
【特許文献１】
特表２００１−５１６０８５号公報
【０００４】
【発明が解決しようとする課題】
今日流通している書籍や雑誌の大部分は、ＷＥＢサイト等の外部のデジタル情報提供システムとの連携を前提としたものではない。このような書籍や雑誌には外部情報との連携を示す特別なアイコン、記号、文字列等は記載されていない。本発明は、このように外部のデジタル情報提供システムとの連携を前提とせずに作成された紙媒体についても、その記載内容に関連する情報を提供できるようなシステムを提供することにある。
【０００５】
【課題を解決するための手段】
上記課題を解決するために成された本発明に係る情報提供システムは、データ通信ネットワークを通じて他の端末から送信されてくる要求に応じた処理を行うサーバを有し、該サーバは、
紙媒体を登録した紙媒体データベース、
前記紙媒体データベースに登録された各紙媒体について、該紙媒体の外部に存在する情報と、該紙媒体内のいずれかの部分に記載された内部情報との関連付け情報を保存した関連付けデータベース、
他の端末から紙媒体の識別情報及び内部情報の位置情報とともに関連情報配信要求を受け付けるための要求受付部、及び、
前記要求受付部により受け付けられた紙媒体の識別情報及び内部情報の位置情報に基づいて、該当する紙媒体及びその内部情報を特定し、該内部情報に関連づけられた情報を前記内部情報の関連情報として前記端末に送信する関連情報配信部、
を備えることを特徴としている。
【０００６】
また、本発明は、上記情報提供システムを利用して、紙媒体の発行者が提供する関連情報を該紙媒体の利用者に提供することを特徴とするビジネス方法を提供する。更にまた、本発明は、コンピュータを上記情報提供システムのサーバとして機能させることを特徴とするプログラムを提供する。
【０００７】
【発明の実施の形態】
本発明に係る情報提供システムにおいて、紙媒体データベースは、情報提供の対象となる紙媒体に関する情報を保存したデータベースである。前記紙媒体は本発明に係る情報提供システムとの連携を想定して作成されたものである必要はない。情報の記載位置を物理的又は論理的に指示可能な構成を有する紙媒体であれば、いかなる紙媒体でも本発明のシステムの紙媒体データベースに登録可能である。
【０００８】
関連付けデータベースは、紙媒体の外部情報と内部情報との関連付け情報を紙媒体毎に保存したデータベースである。ここで、「紙媒体の外部情報」とは、「その紙媒体には記載されていない情報」という意味であって、本発明に係る情報提供システムの外部にある情報という意味ではない。
【０００９】
紙媒体は一般に多数の内部情報から成るものとみなすことができる。そして、各内部情報は、紙媒体の識別情報と該紙媒体内における該内部情報の記載位置を示す位置情報との組み合わせ（以下、位置特定情報と呼ぶ）により一意に特定することができる。紙媒体の識別情報の例及び内部情報の位置情報の例を以下に挙げる。
＜紙媒体の識別情報の例＞
・書籍名、版、著作者名及び出版社名の組み合わせ
・国際標準図書番号（ＩＳＢＮ）
・雑誌名＋号数
＜内部情報の位置情報の例＞
・紙媒体内における情報の記載位置を物理的に指示するもの。例えば、ページ番号とページ内の空間的位置との組み合わせがこれに相当する。ページ内の空間的位置は、例えば行番号（横書きテキストの場合）、列番号（縦書きテキストの場合）、ページを構成する部分領域（例えば「２段目」、「右上」、「左下」）、２次元座標系（例えば、目的情報を含む矩形領域を規定する２点の座標）等により指示する。
・紙媒体内における情報の記載位置を論理的に指示するもの。例えば、章立てされた書籍の章・節・項（あるいは章・節・項に付与された見出し）、図表番号、法令の条・項・号、論文集に収録された論文の題名などがこれに相当する。
・物理的指示方法と論理的指示方法を組み合わせたもの。例えば、ページ番号と章・節・項の見出しとの組み合わせがこれに相当する。
【００１０】
関連付けデータベースにおいて、位置特定情報と外部情報との対応は１対１である必要はなく、複数の位置特定情報を１つの関連情報に対応させてもよい。例として、同一の学習指導要領に準拠して編集・発行された複数の教科書を考えてみる。これらの教科書は、具体的な記載は異なっていても、扱っている主題には共通性がある。従って、その主題に関連する情報を用意すれば、全ての教科書でその情報を関連情報として利用することができる。例えば、英語の「現在完了」に関する情報（解説、例文）を用意すれば、「現在完了」を項目として含む全ての英語教科書や参考書でその情報を共用できる。このようにすれば、関連情報の収集や保守を効率化することができる。
【００１１】
要求受付部は、他の端末から位置特定情報とともに関連情報配信要求を受け付ける機能部である。要求受付部は、例えばＷＥＢサーバを及び同ＷＥＢサーバにより管理されるＷＥＢサイトとして構成することができる。この場合、要求受付部は、例えば次のように動作する。まずユーザが端末のＷＥＢブラウザを用いて所定のＵＲＬの閲覧要求をサーバに送信する。この要求を受けて、サーバの要求受付部が位置特定情報入力用のＷＥＢページを前記端末に送信する。このページには紙媒体の識別情報（例：ＩＳＢＮ）と内部情報の位置情報（例：ページ番号と見出し）とを入力するためのフォームを設ける。ユーザがこのフォームに紙媒体の識別情報と内部情報の位置情報を入力（又は一覧から選択）して送信操作を行うと、端末から要求受付部にそれらの情報が送信される。なお、紙媒体の識別情報の入力（又は選択）と内部情報の位置情報の入力（又は選択）を別個のＷＥＢページで行うようにしてもよい。
【００１２】
関連情報配信部は、要求受付部が受け取った位置特定情報に関連づけられた情報を読み出して前記端末に送信する機能部である。関連情報配信部は、例えばデータベース管理システムとＷＥＢサーバとの連携システムとして構成することができる。受け取った位置特定情報に対応する関連情報が存在しない場合は、その事実を告知するメッセージを端末に送信する。
【００１３】
【発明の効果】
以上のように、本発明に係る情報提供システムは、内部情報の記載位置を物理的又は論理的に指示可能な構成を有する紙媒体であればいかなる紙媒体でも登録可能な紙媒体データベースを設けたため、事実上いかなる紙媒体に対してもその記載内容に関連する情報を提供することができる。
【００１４】
なお、本発明に係る情報提供システムは、紙媒体の記載内容に関連する各種情報を紙媒体の利用者（読者）に提供する情報提供ビジネスに利用可能である。例えば、紙媒体の発行者（例えば出版社）は、本発明に係る情報提供システムを、自社書籍の読者（ユーザ）をサポートするための手段として、あるいは、読者向けに自社書籍の関連情報（広告情報等）を提供する手段として利用することができる。このように本発明に係る情報提供システムを業務で利用すれば、自ら高額な情報配信システムを構築しなくても、自社書籍の宣伝・販売促進、ユーザからの意見等のフィードバックによる書籍品質の向上といった効果を得ることができる。
【００１５】
【実施例】
図１に本発明の一実施例である学習関連情報提供システムの概略構成を示す。図１の学習関連情報提供システム（以下、本システムと呼ぶ）１０は、インターネット等のデータ通信ネットワーク１２を通じて他の端末と通信可能なコンピュータである管理サーバ１４を備えている。管理サーバ１４は、各種プログラムを動作させることにより構成されたＷＥＢサーバ１６、データ管理部１８及びメール管理部２０といったソフトウェア機能部を備えている。また、管理サーバ１４は、固定磁気ディスク等で構成されたデータ保存部２２を備えている。管理サーバ１４は、ユーザ端末２４から送られてくる各種要求に応じた処理を実行し、結果をそれらの端末に返す。なお、ユーザ端末２４はＷＥＢブラウザがインストールされたパーソナルコンピュータである。
【００１６】
図２にデータ保存部２２の概略構成を示す。なお、図２では「データベース」という語を「ＤＢ」と略記している。データ保存部２２に作成されたデータベース及びデータ保存部について以下に説明する。
ユーザデータベース：  本システムの登録ユーザの属性情報を保存したデータベース。
出版社データベース：  本システムで取り扱っている書籍や関連情報を提供している出版社の属性情報を保存したデータベース。
書籍データベース：  本システムで取り扱っている書籍（教科書、参考書等）の属性情報を保存したデータベース。書籍の属性情報は、書籍全体の属性を示す書誌情報と、書籍の内部構成を示す本文情報から成る。書誌情報には書名、出版社ＩＤ、著者名、発行日、版、判型、総ページ数、内容分類（例：英語、数学）等が含まれる。本文情報には各ページを構成する主な要素の属性情報が含まれる。書籍の属性情報をＸＭＬ形式で記述した例を図３に示す。この例では、書籍の主な構成要素（ページ、見出し、図、等）が階層的に整理されている。各要素は名前属性（ｎａｍｅ）を有しており、これを用いて、書籍内の各要素を一意に識別できるコード（情報位置指定子）を作ることができる。例えば、２ページ目にある要素＜図２＞は最上位要素＜書籍データ＞からスタートし、＜本文＞、＜ページ＞、＜図２＞という経路をたどることで到達できる。そこで、その経路上にある各要素の名前を例えばドット（．）で連結すると、「ｂｏｏｋ２．ｂｏｄｙ．ｐａｇｅ１．ｆｉｇ２」となる。こうして、要素＜図２＞に対応する情報位置指定子が得られる。なお、上記説明において、書籍の構成要素が本発明の内部情報に相当し、情報位置指定子が位置特定情報に相当する。
関連情報データベース：  各種関連情報に関するデータを保存したデータベース。情報名、内容分類、関連情報のデータ本体を保存したファイルの名前、データ形式（例：テキスト、画像、動画、音声、ＷＥＢサイト）等の情報がこのデータベースに保存される。
関連付けデータベース：  情報位置指定子で指定される書籍の各記載部分（構成要素）と本システムが提供する関連情報との関連付け情報を保存したデータベース。なお、書籍の１つの構成要素に対して複数の関連情報が存在しうるため、１つの情報位置指定子に対して関連情報ＩＤのリストを対応させている。
利用書籍リスト保存部：  各ユーザが利用登録を行った書籍のリストを保存した場所。
利用履歴保存部：  各ユーザがいつ、どの書籍のどの部分の記載に関するどの関連情報を利用したかを記録した場所。「情報位置指定子」には「どの書籍のどの部分の記載か」を示す情報が保持される。
ユーザ課金データベース：  ユーザによる本システムの利用料金に関する情報を保存したデータベース。ユーザが支払う料金の種別には、月額基本料金、情報料（有料の関連情報の利用料金）、サポート料（質問に対する有料サポートサービスの利用料金）等がある。「関連情報ＩＤ」には、有料の関連情報を利用した場合にその関連情報のＩＤが書き込まれる。
出版社課金データベース：  出版社による本システムの利用料金に関する情報を保存したデータベース。出版社が支払う料金の種別には、月額基本料金、広告料金（ユーザが広告情報の閲覧時に発生）、販売手数料（ユーザによる書籍のオンライン購入時に発生）等がある。
ＷＥＢサイトデータ保存部：  本システムのＷＥＢサイトを構成するファイル群（ＨＴＭＬ文書、画像、音声、スクリプト、等）を保存した場所。
【００１７】
図４にＷＥＢサイトの一部の概略構成を示す。ＷＥＢサイトのうち破線で囲んだ領域は本システムの登録ユーザだけが閲覧可能な領域である。
【００１８】
ユーザ登録を希望する者は、ＷＥＢブラウザでトップページを開き、そこで「ユーザ登録」を選択してユーザ登録ページを開く。ユーザ登録ページには登録に必要な情報（図２の「ユーザＤＢ」を参照）を入力するフォームが備えられている。このフォームに必要情報を入力して送信操作を実行すると、入力情報が端末から管理サーバ１４に送信される。管理サーバ１４では、受け取った情報がＷＥＢサーバ１６からデータ管理部１８に渡される。データ管理部１８は新たなユーザＩＤ及びパスワードを発行し、前記ユーザＩＤに対応する新たなレコードをユーザＤＢ（図２）に追加して、そこに前記情報を保存する。発行されたユーザＩＤ及びパスワードはＷＥＢサーバ１６を通じて前記端末に送信される。このようにしてユーザＩＤを取得した者は、次回からはトップページの「ログイン」を選択し、認証ページでＩＤ及びパスワードを入力することにより、本システムの各種サービスを利用することができる。
【００１９】
ユーザ端末２４で関連情報を利用する手順について以下に説明する。
【００２０】
ログインの後、まずユーザ端末２４の画面には「サービスメニュー」ページが表示される。このページには下記６通りの書籍一覧メニューが用意されている。
新着書籍：  本システムに最近登録された書籍の一覧を表示。
取扱書籍：  本システムで取り扱っている全書籍の一覧を表示。
分類別書籍：  本システムで取り扱っている書籍の一覧を分類毎に表示。
利用登録済書籍：  ユーザが利用登録を行っている書籍の一覧を表示。
最近使った書籍：  ユーザが最近本システムで関連情報を閲覧した書籍の一覧をを表示。
よく使う書籍：  ユーザによる利用頻度の高い書籍の一覧を表示。
【００２１】
「サービスメニュー」ページでいずれかの書籍一覧メニューを選択すると、選択された書籍一覧を含む「書籍選択」ページがユーザ端末２４の画面に表示される（図４の例では分類別書籍（分類：高校英語）の一覧が画面に表示されている）。この画面では、書名、出版社名の他、ユーザによる各書籍の利用登録状況（未登録／登録済）が表示される。
【００２２】
「書籍選択」ページで利用登録状況が「未登録」の書籍（例えば、図４の「英語Ａ」）を選択すると、その書籍のより詳細な情報を示すページが画面に表示される。そして、このページにある「登録」ボタンを押下すると、ユーザ端末２４から管理サーバ１４に書籍ＩＤ及びユーザＩＤとともに書籍利用登録要求が送信される。この要求を受けた管理サーバ１４では、データ管理部１８が該当ユーザＩＤの利用書籍リスト（図２）に前記書籍ＩＤを追加する。
【００２３】
一方、「書籍選択」ページで利用登録状況が「登録済」の書籍（例えば、図４の「英語Ｂ」）を選択すると、選択された書籍のＩＤがユーザ端末２４から管理サーバ１４に送信され、それを受けた管理サーバ１４が「ページ指定」ページをユーザ端末２４に送信する。このページには書籍のページ番号を入力するテキストボックスが用意されている。このボックスにページ番号を入力して「次へ」ボタンを押下すると、書籍ＩＤ及びページ番号がユーザ端末２４から管理サーバ１４に送信され、それを受けた管理サーバ１４が、指定された「記載位置指定」ページ（これについては後述する）をユーザ端末２４に送信する。なお、関連情報が存在しないページを指定した場合は、エラーメッセージ（例：「指定のページには関連情報がありません」）が表示される。関連情報の有無は関連付けデータベース（図２）に基づいて判断される。
【００２４】
「記載位置指定」ページには、書籍の選択ページを構成する見出しや図等の要素毎に関連情報の有無が表示される。このページで、関連情報が存在する要素を選択すると、ユーザ端末２４から管理サーバ１４に選択された要素の情報位置指定子とともに関連情報一覧要求が送信される。この要求を受けた管理サーバ１４では、データ管理部１８が関連付けデータベース（図２）に基づいて前記要素に対応する関連情報を特定し、その関連情報の情報名を関連情報データベース（図２）から取得し、その情報名を記載した一覧ページ（「関連情報一覧」ページ）を生成し、そのページをＷＥＢサーバ１６を介してユーザ端末２４に送信する。
【００２５】
「関連情報一覧」ページでいずれかの関連情報を選択すると、管理サーバ１４からユーザ端末２４に選択された情報のデータ本体が送信される。ユーザ端末２４では、受け取ったデータの形式に応じたソフトウェアにより情報の表示又は再生が行われる。例えば、受け取ったデータがＨＴＭＬ文書であれば、ＷＥＢブラウザがそのデータを解析し、テキストや画像等を画面に表示する。また、受け取ったデータが動画又は音声の場合は、動画又は音声再生アプリケーション（ＷＥＢブラウザ上で動作するアプレットやプラグインを含む）により動画又は音声が再生される。利用した情報が有料情報であった場合、利用したユーザに対する課金情報がユーザ課金データベースに保存される。また、利用した情報が広告情報であった場合、その広告主たる出版社に対する課金情報が出版社課金データベースに保存される。
【００２６】
情報が動画又は音声で配信される場合、動画又は音声をオンラインでストリーミング再生するか、動画又は音声データをダウンロードして再生する。このような形での情報の利用に対して適性に課金を行うには、例えば、動画又は音声の再生を専用のアプリケーション等で行うようにするとともに、再生可能期限を設定したり、再生の際にユーザ認証を行うことが好ましい。このようにすると、例えば、ダウンロードした動画や音声を不正に他者に再配布したり、退会等の理由により本システムのユーザ権限を喪失した者が利用料を支払わずにダウンロード済みのデータを再生したりすることを防止することができる。
【００２７】
先に述べたように、本実施例のシステムでは、ユーザがいつ、どの書籍のどの位置の記載に関するどの関連情報を利用したかに関する記録を利用履歴保存部に保存している。この情報を利用して、例えば、各ユーザの学習の進捗状況を確認したり、どの関連情報の利用頻度が高いかを見ることによりユーザの苦手分野を分析したりすることができる。また、多数のユーザの利用履歴を統計的に処理することにより書籍の評価に役立つ情報を得ることもできる。例えば、書籍の中でも特に関連情報の利用要求が頻繁にある記載部分が認められる場合、その部分の記載が不十分又は不明確である可能性があると判断できるから、その部分について早急に改善策を講じることができる。
【００２８】
ところで、システムから提供される関連情報にユーザが満足できなかったり、ユーザの指定した書籍が書籍データベースに登録されていない場合が当然考えられる。このような場合に対処するためのサービス機能の例を以下に述べる。
【００２９】
（１）書籍リクエスト受付機能
指定した書籍が書籍データベースに登録されていなければ関連情報の提供は不可能である。そこで、本システムに、関連情報を整備してほしい書籍のリクエストをユーザから受け付けるための機能を設けるとよい。特にリクエストの多い書籍については、システム管理者が出版社に対して書籍データの提供を申し入れる。また、リクエスト情報を関連出版社にマーケティング情報として自動配信するようにしてもよい。
【００３０】
（２）類似書籍紹介機能
ユーザの持っている書籍そのものは書籍データベースに登録されてはいないが、それに類似する書籍が登録されている場合、その書籍に対応する関連情報がユーザにとって有用である可能性が高い。そこで、本システムに、ユーザの指定した書籍に類似した書籍を紹介する機能を設けるとよい。
【００３１】
（３）キーワードによる関連情報リンク機能
多くの場合、書籍に記載された各種情報はそれぞれ何らかのキーワードと関連づけることが可能である。そこで、画面に表示された関連情報に含まれるキーワード文字列をハイライト表示し、そのキーワード文字列に対するユーザの所定の操作（例えば、マウスクリック操作）を受けて、そのキーワードを付与された別の関連情報を画面に表示する、というような関連情報リンク機能を設けるとよい。
【００３２】
なお、このキーワードによる関連情報リンク機能を利用して、各キーワードへのリンク権をそのキーワード内容と関係のある企業等に販売するというビジネスを行うことも可能である。この場合、例えばオンライン書店やオンライン出版社等の業者がキーワードへのリンク権を購入することにより、本システムのユーザを当該キーワードに関連する書籍の紹介・販売用ＷＥＢページへ誘導することができる。また、ユーザは、目的の情報に関連する多数の書籍の情報を効率よく入手し、必要があればその書籍をその場で簡単にオンライン注文することができる。
【００３３】
以上、本発明の一実施例について詳細に説明したが、実施例は上記のものに限られない。例えば、上記実施例では、「記載位置指定」ページに選択ページ中の見出しや図等の要素を一覧形式で表示し、ユーザに所望の要素を選択させたが、情報の記載位置は別の方法で指定してもよい。例えば図５の例では、選択ページの縮小画像を画面に表示し、その画像の中で関連情報へのリンクが埋め込まれた部分をハイライト表示する一方、他の部分はやや暗めに表示している。このようにすると、ユーザは実際の書籍の目的ページと画面上のページ画像とを見比べることで、ページ内のどの箇所の記載について関連情報が利用可能かを一目で確認することができる。更に、本システムの他の部分についても、本発明の精神及び範囲内で様々な形態が考えられることはいうまでもない。
【図面の簡単な説明】
【図１】本発明の一実施例である学習関連情報提供システムの概略構成図。
【図２】データ保存部の概略構成図。
【図３】書籍の属性情報をＸＭＬ形式で記述した例。
【図４】ＷＥＢサイトの一部の概略構成図。
【図５】ＷＥＢサイトの一部の別の例の概略構成図。
【符号の説明】
１０…学習関連情報提供システム
１４…管理サーバ
１６…ＷＥＢサーバ
１８…データ管理部
２２…データ保存部
２４…ユーザ端末
【図１】
2004157929.tif 000003
【図２】
2004157929.tif 000004
【図３】
2004157929.tif 000005
【図４】
2004157929.tif 000006
【図５】
2004157929.tif 000007